(57)【要約】【課題】遠隔ログインしている任意のＰＣ内のファイルのデータ（画像データ）上に特定のＰＣでオーバーレイ表示を実行するオーバーレイ機能を備えたネットワークログイン機能を備え、特定のＰＣによる画像が合成された形でのデータ保存が可能なオーバーレイ機能を実現する。【解決手段】ネットワークログイン機能を備えた１台の編集用コンピュータと、少なくとも１台の被ログインコンピュータとを通信網を介して接続したコンピュータネットワークシステムによって、前記編集用コンピュータの画面上でオーバーレイを実行するオーバーレイ方法であって、前記編集用コンピュータから任意の前記被ログインコンピュータにログインするステップと、前記編集用コンピュータから前記任意の前記ログインコンピュータの資源にアクセスした結果である画像データを、当該編集用コンピュータの表示部に表示するステップと、前記編集用コンピュータの表示上にオーバーレイするステップとを含むオーバーレイ方法。【選択図】  図４
2006119762.tif 000002
【特許請求の範囲】
【請求項１】
１台の編集用コンピュータと、少なくとも１台の被ログインコンピュータとを通信網を介しして接続したコンピュータネットワークシステムにおいて、
前記編集用コンピュータには、ネットワークログイン機能を備え、
前記編集用コンピュータが被ログインコンピュータに通信網を介してログインした状態で、当該編集用コンピュータの入力手段及び出力手段を用いて、前記被ログインコンピュータの資源を利用可能とすることを特徴とするコンピュータネットワークシステム。
【請求項２】
前記ネットワークログイン機能は、Ｘ端末、Telnet、Remote-Desktop、VNCのいずれか１つであることを特徴とする請求項１に記載のコンピュータネットワークシステム。
【請求項３】
前記被ログインコンピュータは複数台であって、前記編集用コンピュータから複数台の被ログインコンピュータに対してログインして、前記被ログインコンピュータの出力を、各々を切り替えて、若しくは同時に編集用コンピュータ表示部に表示して、情報を付加することを特徴とする請求項１又は２に記載のコンピュータネットワークシステム。
【請求項４】
ネットワークログイン機能を備えた１台の編集用コンピュータと、少なくとも１台の被ログインコンピュータとを通信網を介して接続したコンピュータネットワークシステムによって、前記編集用コンピュータの画面上でオーバーレイを実行するオーバーレイ方法であって、
前記編集用コンピュータから任意の前記被ログインコンピュータにログインするステップと、
前記編集用コンピュータから前記任意の前記ログインコンピュータの資源にアクセスした結果である画像データを、当該編集用コンピュータの表示部に表示するステップと、
前記編集用コンピュータの表示上にオーバーレイするステップと、
を含むことを特徴とするオーバーレイ方法。
【請求項５】
前記編集用コンピュータの表示部に表示された被ログインコンピュータの画像データと、編集用コンピュータでオーバーレイしたデータとを、それぞれが独立した画面の合成した１枚の画像データとして保存するステップを含むことを特徴とする請求項４に記載のオーバーレイ方法。
【発明の詳細な説明】
【技術分野】
【０００１】
本発明は、ネットワークを介して接続された複数のコンピュータ（ＰＣ）において、特定のコンピュータから他のコンピュータに対して遠隔ログインを実効して、遠隔ログインされたＰＣの資源（アプリケーションプログラム等）を特定のＰＣの入力装置及び出力装置で有効に利用する技術に関する。
特に、遠隔ログインしている任意のＰＣ内のファイルのデータ（画像データ）上に特定のＰＣでオーバーレイ表示を実行するオーバーレイ機能を備えたネットワークログイン機能を備えたＰＣによる画像が合成された形でのデータ保存が可能なオーバーレイ技術に関する。
【背景技術】
【０００２】
従来のTelnetを利用したシステムとしては以下のものが知られている。（特許文献１参照）上記特許文献１には、以下の記載がなされている。
図１に示す、リモート・コンピュータ２５を有するユーザは、インターネットを介して自分の家庭用コンピュータ２７にアクセスすることができる。
図１からわかるように、好ましい実施形態によれば、ユーザは、ユーザ自身のインターネット・サービス・プロバイダ（ＩＳＰ）３３を介して自分の家庭用コンピュータ２７にアクセスする（たとえば、家庭内のスマート・ネットワーク３１に接続された装置２９を制御するために）が、同一のサービスを、別のエンティティ（たとえば、専用サーバ、別のＩＳＰなど）が提供することができる。
【０００３】
ＩＳＰ３３には、（代表的なウェブ・サーバが、ＲＩＳＣベース・プロセッサ、ＡＩＸ（Ｒ）オペレーティング・システム、およびNetscape Enterprise Serverなどのウェブ・サーバ・プログラムを含む米ＩＢＭ社のNetfinity（Ｒ）サーバである。）が含まれる。ユーザの家庭用コンピュータ２７は、所与の装置３５または、家庭用装置２９の組を制御するインターフェース（たとえばＸ−１０インターフェース）３１を制御することができる。代表的な家庭用装置には、制限なしに、照明、調光システム、通信機器、モータ、オーディオ／ビジュアル機器、器具、他のコンピュータ、ＨＶＡＣシステムおよびＨＶＡＣ装置、スプリンクラ・システム、セキュリティ・システムなどが含まれる。本発明が、特定の装置、システム、コンポーネント、またはインターフェースの制御に制限されないことを諒解されたい。さらに、本発明は、家庭用コンピュータの制御にも制限されず、リモート・コンピュータのユーザが、ターゲット・コンピュータがどこに配置されているかに無関係に、ターゲット・コンピュータを（インターネットまたは他のコンピュータ・ネットワークを介して）制御できるようにするために使用することができる。
【０００４】
リモート・コンピュータ２５は、インターネットに接続するのに適当な装置を備え、ウェブ・ブラウザを含む、デスクトップ、ラップトップ、または他のポータブル・コンピュータとすることができる。代替案では、リモート装置が、パームトップ・コンピュータ、たとえば米ＩＢＭ社よりWorkPad（Ｒ）で販売される装置などのパーベイシブ・コンピューティング・クライアント装置である。代表的な装置には、ｘ８６ベース、ＰｏｗｅｒＰＣ（Ｒ）ベース、またはＲＩＳＣベースであり、WindRiver VXWorks（Ｒ）、QSSL WNX4（Ｒ）、またはMicrosoft Windows（Ｒ） CEなどの実行時オペレーティング・システムを含み、ウェブ・ブラウザも含むパーベイシブ・クライアントが含まれる。
【０００５】
また、画面上でのオーバーレイ技術としては、以下の技術が知られている。（引用文献２参照）
上記特許文献２には、以下の記載がなされている。
「ベース画像上にある特定のパレット色のエリアを検出し、ベース画像とは異なる第２の映像をベース画像上のパレットサイズに拡大または縮小してオーバーレイしている。このため、常にベース画像上に特定のパレット色のエリアを構成すると同時に、オーバーレイ映像の拡大縮小回路部分にパレットのサイズと位置情報を与える必要がある。
しかし、マルチビジョンシステムを構成する場合などは、ベース画像を構成するＰＣとオーバーレイ装置を制御するＰＣが異なる場合があり、ベース画像を構成するＰＣからパレットのサイズおよび位置情報をオーバーレイ装置を制御するＰＣに送る必要があり、アプリケーションソフトが複雑になるという問題点があった。
【０００６】
また、クロマキー方式を使わなければ、１台のＰＣにて強制的にベース画像上の特定のエリアにオーバーレイを行うことが可能であるが、強制的にオーバーレイ映像に切り替えているためオーバーレイ映像上にベース画像のマウスポインタなどが重なった場合にマウスポインタが消えてしまうため、アプリケーションの制御上問題がある。
【０００７】
上記のような問題点を解消するために、ベース画像上にオーバーレイ用のパレットが用意されていない場合でも特定の色で構成されたマウスポインタ等が消えることがないオーバーレイ装置を得ることを目的として、ベース画面の映像（ベース画像）上の特定のエリアに第２の映像を拡大または縮小してオーバーレイするものにおいて、上記ベース画像上に第２の映像をオーバーレイするエリアのサイズと位置情報を判別するエリア判別手段と、上記オーバーレイリア内でクロマキー判定を行うクロマキー判定手段とを備え、上記クロマキー判定手段により、ベース画像のエリア内のパレット色が設定値の範囲内にあると判定された場合には上記ベース画像の信号をそのまま出力し、上記クロマキー判定手段により、エリア内のパレット色が設定値の範囲外にあると判定された場合には拡大または縮小された上記第２の映像信号を出力するように構成したものである。
【特許文献１】特開２００２−５４３５０７号公報（図２，（００１５）（００１７）〜（００１８））
【特許文献２】特開２０００−２２１９６０
【発明の開示】
【発明が解決しようとする課題】
【０００８】
上記の如く、従来からリモートログインという手法は知られていたが、遠隔のコンピュータを操作することを目的としていて、ログインしている画面に情報を付加するものは存在しなかった。
また、従来のオーバーレイの手法は、専用のハードウエア端末による重ね合わせ処理、若しくは、ソフトウエア処理の場合においては、特別のオーバーレイソフトウエアを必要とし、任意のコンピュータ上に簡単にオーバーレイをする適切な手法が無かった。
【０００９】
本発明の課題としては、ネットワークを介して接続された複数のコンピュータ（ＰＣ）において、特定のコンピュータから他のコンピュータに対して遠隔ログインを実効して、遠隔ログインされたＰＣの資源（アプリケーションプログラム等）を特定のＰＣの入力装置及び出力装置で有効に利用可能なＰＣの遠隔操作システムを提供することが１例として挙げられる。
また、遠隔ログインしている任意のＰＣ内のファイルのデータ（画像データ）上に特定のＰＣでオーバーレイ表示を実行するオーバーレイ機能を備えたネットワークログイン機能を備え、特定のＰＣによる画像が合成された形でのデータ保存が可能なオーバーレイ機能を実現することが１例として挙げられる。
【課題を解決するための手段】
【００１０】
請求項１に記載のコンピュータネットワークシステムは、１台の編集用コンピュータと、少なくとも１台の被ログインコンピュータとを通信網を介しして接続したコンピュータネットワークシステムにおいて、
前記編集用コンピュータには、ネットワークログイン機能を備え、前記編集用コンピュータが被ログインコンピュータに通信網を介してログインした状態で、当該編集用コンピュータの入力手段及び出力手段を用いて、前記被ログインコンピュータの資源を利用可能とすることを特徴とする。
【００１１】
請求項４に記載のオーバーレイ方法は、ネットワークログイン機能を備えた１台の編集用コンピュータと、少なくとも１台の被ログインコンピュータとを通信網を介して接続したコンピュータネットワークシステムによって、前記編集用コンピュータの画面上でオーバーレイを実行するオーバーレイ方法であって、
前記編集用コンピュータから任意の前記被ログインコンピュータにログインするステップと、前記編集用コンピュータから前記任意の前記ログインコンピュータの資源にアクセスした結果である画像データを、当該編集用コンピュータの表示部に表示するステップと、前記編集用コンピュータの表示上にオーバーレイするステップとを含むことを特徴とする。
【発明を実施するための最良の形態】
【００１２】
図２を用いて本発明のコンピュータネットワークシステムの説明をする。
図２において、１ａ，１ｂ，１ｃは被ログイン対象である被ログインコンピュータ（ＰＣ）であって、Ethernet（登録標章）等の通信網２を介してネットワークログイン機能を備えた編集用コンピュータ３に接続されている。
前記編集用コンピュータ３には、ネットワークログイン機能として、Ｘ端末、Telnet、Remote-Desktop、VNC等のいずれか１つが備えられている。
また、被ログインコンピュータとしては、特に制限はなく任意のコンピュータで良い。
【００１３】
以下編集用コンピュータ（専用ＰＣ２という）によって、被ログインコンピュータ（オーバーレイしたいＰＣ１という）にログインして、専用ＰＣ２の入出力手段によって、専用ＰＣ２の表示部に表示されたＰＣ１画面上でオーバーレイ処理を実行する例について図３〜６を用いて説明する。
【００１４】
図３は、特定のオーバーレイしたい被ログインコンピュータである（ＰＣ１）とオーバーレイ処理する編集用コンピュータ（専用ＰＣ２）とがEthernetを介して接続されている状態を示している。
【００１５】
図３の状態で、ＰＣ２が備えているネットワークログイン機能によって、ＰＣ１にログインすると図４の状態になり、図４の状態では、ＰＣ２のＯＳ上でＰＣ１を表示（ＰＣ２の表示部にＰＣ１の画面が表示されている）しており、且つＰＣ２の機能をも使用できる状態になっている。
【００１６】
図４のＰＣ２によるＰＣ１へのログイン時のＰＣ２の表示部の画面上でのオーバーレイの画面例を図５に示す。
図５の画面では、背景はＰＣ１であり、オーバーレイの描画はＰＣ２の機能を使用して実行される。
【００１７】
図５では、画面にオーバレイされた上部の太枠５−１に囲まれた操作部分の各種選択ボタンや各種機能選択アイコン等を指定して他のＰＣへのログインやオーバーレイを実行する。
当該図５の太枠内のＰＣ１，ＰＣ３、ＰＣ４は、各ＰＣへログインするためのアイコンである。
現在はＰＣ１が選択されており、ＰＣ１の背景上にＰＣ２の機能を用いてオーバーレイ処理中である。
また、他のＰＣ３及びＰＣ４もログインしてオーバーレイに利用可能であることが解る。
また、太枠内のペインティング要素（５−４）によって、５−２の如く背景画像に関係無く描画をすることができる。
また、５−３に示す如く、背景画像に関係無く、任意のテロップ（図５ではニュース速報  ＡＣＤＥＦＧ）をオーバーレイさせることができる。
ＰＣ２の機能によって、ＰＣ１の背景画像とは関係なしに図示の如く、描画が可能であり、テロップも背景画像に関係無く任意のテロップを出すことが可能である。
【００１８】
図５の状態の画面を画像として保存すると、ＰＣ１による背景と、ＰＣ２によるオーバーレイ部分５−２及び５−３とのそれぞれが独立した画面（図６に示す通りイメージ的には２枚が独立している。）を合成した１枚の画像データとして保存される。
なお、操作部５−１は、合成しないが、合成するようにしても良い。
なお、画像データの保存は、ＰＣ１の背景画像と、ＰＣ２によってオーバーレイされた５−２及び５−３の画像がそれぞれ独立して保存されるようにしても良い。
【００１９】
また、操作部５−１のオーバーレイは、αブレンディング等の画像処理により、被ログインＰＣ１の背景画像上に、半透明にオーバーレイするようにしても良く、この場合には、被ログインＰＣの表示画面中のアイコン等の表示が重なっても全く視認できなくなるということがない。
【００２０】
従来では、このような処理は専用のアプリケーションをインストールしなければこのような機能の実現はできなかったが、この手法を用いることによって、専用ＰＣ２にのみアプリケーションをインストールしておけば、接続可能な全てのＰＣでこの機能を使用することができる。
【００２１】
次に、編集用コンピュータ（専用ＰＣ２）の表示部の被ログインコンピュータ（ＰＣ１）の画面上でオーバーレイを実行する手順を図７のフローチャートを用いて説明する。
・専用ＰＣ２から任意の被ログインコンピュータＰＣ１にログインする。（ステップS1）
・前記専用ＰＣ２からログインしたＰＣ１コンピュータの資源にアクセスした結果である画像データ（背景画像）を、ＰＣ２の表示部に表示する。（ステップS2）
・前記専用ＰＣ２のＯＳを用いて、ＰＣ１の背景画像にオーバーレイする。（ステップS3）
・前記専用ＰＣ２の表示部に表示されたＰＣ１の画像データと、専用ＰＣ２でオーバーレイしたデータとを、それぞれが独立した画面の合成した１枚の画像データとして保存する。（ステップS4）
【００２２】
上記説明では、編集用コンピュータから被ログインコンピュータにログインして、編集用コンピュータの表示部の被ログインコンピュータの画面上でオーバーレイを実行する処理について説明しているが、本発明のコンピュータネットワークシステムでは、オーバーレイ処理のみでなく、編集用コンピュータが被ログインコンピュータに通信網を介してログインした状態で、当該編集用コンピュータの入力手段及び出力手段を用いて、前記被ログインコンピュータの資源（アプリケーションソフトウエア等）を利用することができる。
【図面の簡単な説明】
【００２３】
【図１】遠隔ログインが実行される従来のコンピュータネットワークシステムの構成を示す図である。
【図２】本発明のコンピュータネットワークシステムの構成を示す図である。
【図３】本発明のオーバーレイ処理の手順を説明する第1の図である。
【図４】本発明のオーバーレイ処理の手順を説明する第２の図である。
【図５】本発明のオーバーレイ処理された画面の１例を示す図である。
【図６】本発明のオーバーレイ処理された画面の保存するイメージを示す図である。
【図７】本発明のオーバーレイ処理の手順を示すフローチャートである。
【符号の説明】
【００２４】
１ａ〜１ｎ  被ログインコンピュータ
２  通信網
３  編集用コンピュータ
【図１】
2006119762.tif 000003
【図２】
2006119762.tif 000004
【図７】
2006119762.tif 000005
【図３】
2006119762.tif 000006
【図４】
2006119762.tif 000007
【図５】
2006119762.tif 000008
【図６】
2006119762.tif 000009